(57)【特許請求の範囲】
【請求項１】
複数の縦線状体と複数の横線状体とによって円筒状でかつ有底筒状に編み込まれ、内部に塊状の重量物が詰め込まれる網状袋からなる土木工事用ふとんかごであって、
前記横線状体が前記縦線状体に対して略直交して編み込まれ、
前記網状袋の少なくとも底部および開口部に、前記横線状体と略平行な補強帯を設けるとともに、これらの補強帯と重畳するように複数の張力部材を配置し、これらの各張力部材と、少なくとも前記底部および開口部に設けられた補強帯とを連結部材によって連結することにより、複数の前記網状袋を一体化してなることを特徴とする土木工事用ふとんかご。
【請求項２】
前記連結部材が、前記張力部材に固定可能に、かつ、前記張力部材の長さ方向に移動可能に取り付けられていることを特徴とする請求項１に記載の土木工事用ふとんかご。
【請求項３】
前記連結部材が、前記補強帯を取り囲むように環状に形成されていることを特徴とする請求項１または請求項２に記載の土木工事用ふとんかご。
【請求項４】
前記連結部材が、前記補強帯を取り囲むようにして配設される略Ｕ字状の係合部材と、この係合部材の両端部間に掛け渡されるように設けられ、前記張力部材を挟み込むことによってこの張力部材に固定されるクランプ部材とによって構成され、
前記係合部材には揺動片が、内側へ向けて回動可能に、かつ外側への回動を拘束するように設けられ、
この揺動片と前記係合部材との間には、当該揺動片を前記係合部材との係合位置に保持するリターンスプリングが設けられていることを特徴とする請求項１乃至請求項３のいずれかに記載の土木工事用ふとんかご。
【発明の詳細な説明】
【０００１】
【発明の属する技術分野】
本発明は、河川や護岸等の改修や補修に用いられる土木工事用ふとんかごに関するものである。
【０００２】
【従来の技術】
従来、河川や護岸等の改修や補修に用いられる土木工事用ふとんかごとして、図７に示すような構造のものが知られている。
このふとんかご１は、袋状に形成された網体２内に石材やコンクリート塊からなる重量物３を充填した後に、前記網体２の開口部を紐４等によって結束して構成されたものである（特許文献１参照）。
ところで、このようなふとんかご１は、補修箇所や改修箇所に設置する際に、前記網体２の結束部をクレーン５によって吊り上げて所定位置に設置するようにしているが、前記網体２の形状が拘束されていないことから、吊り上げた際に、充填されている重量物３が自由に動いてしまい、前記網体２の外形形状が一定しないといった問題点がある。
このように、網体２の外形形状が不均一であると、補修箇所や改修箇所に設置した際に、ふとんかご１の設置密度が一定せず、その補修効果が低下してしまうことが想定される。
【０００３】
一方、このような不具合を解消するために、図８に示す対策案が提案されている。
図８に示すふとんかご１０は、袋状の網体１１の中間部に、複数の補強帯１２を全周にわたって設けておき、これらの補強帯１２によって、充填されている重量物の動きを拘束することにより、前記網体１１の外形形状を略円柱状に拘束するとともに、その外径を極力均一化するようにしたものである（特許文献２参照）。
【０００４】
【特許文献１】
特開２０００−１８２８号公報（図５）
【特許文献２】
特開平１１−５０４２８号公報（図４）
【０００５】
【発明が解決しようとする課題】
ところで、前述したような特許文献２において提案されているふとんかご１０にあっては、補強帯１２によって網体１１の外形の一部の変形を抑えて、外形形状を極力円筒状にする利点はあるものの、つぎのような改善すべき課題が残されている。
【０００６】
すなわち、前記網体１１の補強帯１２が設けられていない部分において、この編体１１にふくらみが生じ、この網体１１を円筒形状とするには限度があるといった課題である。
【０００７】
本発明は、このような従来の課題に鑑みてなされたもので、外径形状をより円筒状に近い形状とするとともに、設置されるふとんかごの実質的な重量を容易に増加させて、設置後における位置ずれを極力少なくすることのできる土木工事用ふとんかごを提供することを目的とする。
【０００８】
【課題を解決するための手段】
本発明の請求項１に記載の土木工事用ふとんかごは、前述した目的を達成するために、複数の縦線状体と複数の横線状体とによって円筒状でかつ有底筒状に編み込まれ、内部に塊状の重量物が詰め込まれる網状袋からなる土木工事用ふとんかごであって、前記横線状体が前記縦線状体に対して略直交して編み込まれ、前記網状袋の少なくとも底部および開口部に、前記横線状体と略平行な補強帯を設けるとともに、これらの補強帯と重畳するように複数の張力部材を配置し、これらの各張力部材と、少なくとも前記底部および開口部に設けられた補強帯とを連結部材によって連結することにより、複数の前記網状袋を一体化してなることを特徴とする。
本発明の請求項２に記載の土木工事用ふとんかごは、請求項１に記載の連結部材が、前記張力部材に固定可能に、かつ、前記張力部材の長さ方向に移動可能に取り付けられていることを特徴とする。
本発明の請求項３に記載の土木工事用ふとんかごは、請求項１または請求項２に記載の連結部材が、前記補強帯を取り囲むように環状に形成されていることを特徴とする。
本発明の請求項４に記載の土木工事用ふとんかごは、請求項１乃至請求項３のいずれかに記載の連結部材が、前記補強帯を取り囲むようにして配設される略Ｕ字状の係合部材と、この係合部材の両端部間に掛け渡されるように設けられ、前記張力部材を挟み込むことによってこの張力部材に固定されるクランプ部材とによって構成され、前記係合部材には揺動片が、内側へ向けて回動可能に、かつ外側への回動を拘束するように設けられ、この揺動片と前記係合部材との間には、当該揺動片を前記係合部材との係合位置に保持するリターンスプリングが設けられていることを特徴とする。
【０００９】
【発明の実施の形態】
以下、本発明の一実施形態について、図１ないし図６を参照して説明する。
図１および図２において符号２０は、本実施形態に係わる土木工事用ふとんかご（以下、ふとんかごと略称する）を示し、このふとんかご２０は、複数の縦線状体２１ａと複数の横線状体２１ｂとによって円筒状でかつ有底筒状に編み込まれ、内部に塊状の重量物が詰め込まれる網状袋２１からなる土木工事用ふとんかご２０であって、前記各横線状体２１ｂが前記縦線状体２１ａに対して略直交して編み込まれていることを特徴とする。
また、本実施形態においては、前記網状袋２１の少なくとも底部および開口部に全周にわたる補強帯２２が設けられ、内部に、石材やコンクリート塊等の重量物（図示略）が充填されるようになされ、この網状袋２１の複数を長さ方向あるいは幅方向に整列させるとともに、これらの網状袋２１の少なくとも前記底部および開口部に設けられている補強帯２２と重畳するように複数の張力部材２３を配置し、これらの各張力部材２３と、少なくとも前記底部および開口部に設けられた補強帯２２とを連結部材２４によって連結することにより、前記複数の網状袋２１を一体化した構成となっている。
【００１０】
ついで、これらの詳細について説明すれば、前記張力部材２３は、金属製ワイヤや、前記網状袋２１を構成する合成樹脂製ワイヤ等によって構成され、好ましくは金属製ワイヤが用いられる。
【００１１】
また、前記連結部材２４は、前記張力部材２３に固定可能に、かつ、前記張力部材２３の長さ方向に移動可能に取り付けられている。
さらに詳述すれば、これらの連結部材２４は、図３および図４に示すように、前記補強帯２２を取り囲むようにして配設される略Ｕ字状の係合部材２５と、この係合部材２５の両端部間に掛け渡されるように設けられ、前記張力部材２３を挟み込むことによってこの張力部材２３に固定されるクランプ部材２６とによって構成されている。
【００１２】
前記クランプ部材２６は、前記係合部材２５の各端部に螺着される２組のロックナット２７と、前記係合部材２５の両端部に掛け渡されるように、かつ、移動可能に装着された一対のクランププレート２８とによって構成され、これらのクランププレート２８間に、前記張力部材２３が挿通されるようになっているとともに、前記張力部材２３を、前記２組のロックナット２７によって相互に接近する方向に締め付けることにより、これらの両クランププレート２８間に前記張力部材２３が狭持されるようになっている。
また、前記ロックナット２７を緩めることにより、前記クランプ部材２６と張力部材２３との固定が解除されて、前記クランプ部材２６が、前記張力部材２３の長さ方向に移動可能となされるようになっている。
【００１３】
前記網状袋２１を製作するには、図５（ａ）に示すように、網状袋２１の底部および開口部に補強帯２２を装着するとともに、をその開口部を上方にして、図５（ｂ）に示すように、有底円筒状の型枠Ｃ内に挿入し、ついで、前記網状袋２１内に、その開口部から石材やコンクリート塊等の重量物を充填して前記網状袋２１の開口部を結束した後に、前記網状袋２１を、図６（ａ）に示すように、前記型枠Ｃから抜き出すことによって行われる。
【００１４】
そして、前述したようにして製作された網状袋２１は、図６（ｂ）に示すように、横方向に寝かせられた後に、たとえば、図１に示すように、その複数を長さ方向に並べられる。
【００１５】
この状態において、隣接する網状袋２１の表面に、長さ方向に沿って、前記連結部材２４が装着されている張力部材２３を、前記網状袋２１の周方向に間隔をおいた複数箇所に沿わせるとともに、前記連結部材２４を構成する係合部材２５を、前記補強帯２２を取り囲むようにして取り付けるとともに、この係合部材２５を、前記クランププレート２８およびロックナット２７によって前記張力部材２３に固定する。
これによって、前記複数の網状袋２１が一体化されて、本実施形態に係わるふとんかご２０が得られる。
【００１６】
このようにして得られたふとんかご２０にあっては、各網状袋２１を制作する際に、その横線状体２１ｂが縦線状体２１ａに対して略直交して編み込まれていることにより、各縦線状体２１ａおよび各横線状体２１ｂの間隔が、それぞれほぼ一定に保持される。
すなわち、これらの縦線状体２１ａと横線状体２１ｂとによって形成される編み目が矩形状に保持される。
この結果、これらの縦線状体２１ａと横線状体２１ｂとによって形成される網状体２１がほぼ円筒状に保持され、この結果、形成されるふとんかご２０の設置密度が高められる。
また、本実施形態においては、複数の網状袋２１が一体化されることによって、全体としての重量が確保され、水の流れに対する抗力が発生する。
さらに、底部と開口部に設けられた補強帯２２の作用によって、各網状袋２１の外形が、略円柱状に拘束され、設置密度が容易に高められる。
一方、隣接する網状袋２１の端部に位置する補強帯２２どうしが相互に連結されていることにより、これらの連結強度が十分に確保され、前記網状袋２１どうしが離脱するおそれがなく、その重量増加機能が損なわれることはない。
【００１７】
特に、本実施形態においては、前記連結部材２４が張力部材２３に対して位置調整可能となされていることから、たとえば、前記網状袋２１の形状が若干変形したとしても、その変形量に応じた位置に前記連結部材２４を位置させることができるので、前記網状袋２１の連結を容易にかつ確実に連結することができる。
【００１８】
なお、前記実施形態において示した各構成部材の諸形状や寸法等は一例であって、設計要求等に基づき種々変更可能である。
たとえば、前記実施形態においては、前記補強帯２２を網状袋２１の底部と開口部とに配置した例について示したが、この補強帯２２を、前記網状袋２１の長さ方向の中間部にも設けることも可能である。
このような構成とすることによって、前記網状袋２１の外形形状の変化をより一層抑制することができる。
そして、これらの中間部に設けられた補強帯２２を前記張力部材２３に連結部材２４を介して連結することによって、前記網状袋２１どうしの連結をより強固にすることができる。
さらに、図９に示すように、前記係合部材２５の途中に揺動片２９を取り付け、この揺動片２９を、前記係合部材２５の内側へ向けて回動可能に取り付けるとともに、揺動片２９の外側への回動に際して、前記係合部材２５との係合により、外側への回動を拘束するようにしておき、さらにこの揺動片２９と係合部材２５との間に、前記揺動片２９を、前記係合部材２５との係合位置に保持するリターンスプリング３０を介装した構成とすることも可能である。
このような構成とすると、係合部材２５を補強帯２２に取り付ける際に、この補強帯２２を前記揺動片２９に当接させてこの揺動片２９を内側へ回動させ、前記補強帯２２を係合部材２５の内側へ引き込んだ後に前記揺動片２９との当接を解除することにより、前記リターンスプリング３０によって前記揺動片２９を係合部材２５との係合位置に復帰させるといった簡便な操作によって、前記係合部材２５と補強帯２２との連結を行うことができる。
【００１９】
一方、図１０に示すように、網状袋２１の下部に底縛りロープ２１ｃを装着し、また、下部に口縛りロープ２１ｄを装着しておき、予め、前記底縛りロープ２１ｃが網状袋２１の内側になるように底縛りを行って、この網状袋２１を有底筒状に形成しておくこともできる。
そして、これらの底縛りロープ２１ｃおよび口縛りロープ２１ｄの装着方法は、特に限定しないが、網状袋２１から容易に抜けないような装着方法であることが必要である。
【００２０】
【発明の効果】
以上説明したように、本発明に係わる土木工事用ふとんかごによれば、各網状袋を構成する横線状体が縦線状体に対して略直交して編み込まれていることにより、内部に塊状の重量物を詰め込んだ際に、前記縦線状体と横線状体とによって形成される編み目を矩形状に保持することができる。
この結果、塊状の重量物を充填した状態においても、前記網状体をほぼ円筒状に保持することができ、ふとんかごの設置密度を高めることができる。
また、複数の網状袋を一体化することによって、全体としての重量を確保して、水の流れに対する抗力を大幅に向上させることができる。
また、隣接する網状袋の端部に位置する補強帯どうしを相互に連結することにより、これらの連結強度を十分に確保し、前記網状袋どうしの離脱を防止して、重量増加機能を長期にわたって確保することができる。
さらに、底部と開口部に設けられた補強帯によって、各網状袋の外形を略円柱状に拘束し、これによって、設置密度を容易に高めることができる。
特に、前記連結部材を張力部材に対して位置調整可能とすることにより、たとえば、前記網状袋の形状が若干変形したとしても、その変形量に応じた位置に前記連結部材を位置させることができるので、前記網状袋の連結を容易にかつ確実に連結することができる。
【図面の簡単な説明】
【図１】本発明の一実施形態を示す外観斜視図である。
【図２】本発明の一実施形態の変形例を示す外観斜視図である。
【図３】本発明の一実施形態を示すもので、連結部材の縦断面図である。
【図４】本発明の一実施形態を示すもので、連結部材の正面図である。
【図５】本発明の一実施形態を示すもので、網状袋を制作手順を示す工程図である。
【図６】本発明の一実施形態を示すもので、網状袋を制作手順を示す工程図である。
【図７】一従来例を示す正面図である。
【図８】他の従来例を示す正面図である。
【図９】本発明の他の実施形態を示す連結部材の正面図である。
【図１０】本発明の他の実施形態を示す網状袋の斜視図である。
【符号の説明】
１  ふとんかご
２  網体
３  重量物
４  紐
５  クレーン
１０  ふとんかご
１１  網体
１２  補強帯
２０  ふとんかご
２１  網状袋
２１ａ  縦線状体
２１ｂ  横線状体
２１ｃ  底縛りロープ
２１ｄ  口縛りロープ
２２  補強帯
２３  張力部材
２４  連結部材
２５  係合部材
２６  クランプ部材
２７  ロックナット
２８  クランププレート
２９  揺動片
３０  リターンスプリング
Ｃ  型枠
【図１】
0003696200.tif 000002
【図２】
0003696200.tif 000003
【図３】
0003696200.tif 000004
【図４】
0003696200.tif 000005
【図５】
0003696200.tif 000006
【図６】
0003696200.tif 000007
【図７】
0003696200.tif 000008
【図８】
0003696200.tif 000009
【図９】
0003696200.tif 000010
【図１０】
0003696200.tif 000011